(57)【要約】第１及び第２の対向隔壁パネルを有する再封止可能な袋型容器のためのリバーシブルファスナーが提供され、該第１及び第２の対向隔壁パネルの各々は内部面及び外部面を有する。ファスナーは第１及び第２の開閉機構を含む。第１の開閉機構は第１及び第２の対向隔壁パネルの上部周縁付近に第１及び第２の対向隔壁パネル各々の内部面に配置された第１及び第２の相補型系合部材を含む。第２の開閉機構は第１及び第２の対向隔壁パネルの上部周縁付近に第１及び第２の対向隔壁パネル各々の外部面に配置された第１及び第２の相補型系合部材を含む。
2010516424.tif 000002
【特許請求の範囲】
【請求項１】
第１及び第２の対向隔壁パネルを有する再封止可能な袋型容器のためのリバーシブルファスナーであって、該第１及び第２の対向隔壁パネルの各々が内部面及び外部面を有し、該ファスナーが、
該第１及び第２の対向隔壁パネルの上部周縁付近に、該第１及び第２の対向隔壁パネルそれぞれの該内部面に配置された第１及び第２の相補型系合部材を含む第１の開閉機構、及び
該第１及び第２の対向隔壁パネルの上部周縁付近に、該第１及び第２の対向隔壁パネルそれぞれの該外部面に配置された第１及び第２の相補型系合部材を含む第２の開閉機構
からなるファスナー。
【請求項２】
請求項１のファスナーにおいて、該第１及び第２の相補型系合部材の各々が、該第１及び第２の対向隔壁パネルの該上部周縁に沿って互いに対して略平行であるファスナー。
【請求項３】
請求項１のファスナーにおいて、該第１及び第２の対向隔壁パネルそれぞれの該内部面上の該第１の開閉機構の該第１及び第２の相補型系合部材が互いに噛み合わされたときに該袋型容器が封止されるように構成されたファスナー。
【請求項４】
請求項１のファスナーにおいて、該第１及び第２の対向隔壁パネルそれぞれの該外部面上の該第２の開閉機構の該第１及び第２の相補型系合部材が互いに噛み合わされたときに該袋型容器が封止されるように構成されたファスナー。
【請求項５】
請求項１のファスナーにおいて、第２の開閉機構の該第１及び第２の相補型系合部材が少なくとも第２の再封止可能な袋型容器の開閉機構の第１及び第２の相補型系合部材の１つと噛み合うことによりその２つの容器の重ね合せを促進するように構成されたファスナー。
【請求項６】
請求項５のファスナーにおいて、該第２の開閉機構の該第１の相補型系合部材が、該第２の再封止可能な袋型容器の該第２の相補型系合部材と噛み合うように構成されたファスナー。
【請求項７】
請求項５のファスナーにおいて、該第２の開閉機構の該第２の相補型系合部材が、該第２の再封止可能な袋型容器の該第１の相補型系合部材と噛み合うように構成されたファスナー。
【請求項８】
請求項１のファスナーであって、さらに、該第１及び第２の対向隔壁パネルの側部周縁の少なくとも一部分に沿って配置された少なくとも第３及び第４の開閉機構を備え、該第３及び第４の開閉機構の各々が第１及び第２の相補型系合部材からなり、
該第３の開閉機構が該第１及び第２の対向隔壁パネルそれぞれの該内部面に配置され、
該第４の開閉機構が該第１及び第２の対向隔壁パネルそれぞれの該外部面に配置された
ファスナー。
【請求項９】
請求項８のファスナーにおいて、該第３及び第４の開閉機構の少なくとも一方の該第１及び第２の相補型系合部材の各々が、該第１及び第２の対向隔壁パネルの該側部周縁に沿って互いに対して略平行であるファスナー。
【請求項１０】
請求項８のファスナーにおいて、該第３及び第４の開閉機構の少なくとも一方が該第１の開閉機構に対して実質的に垂直に配置されたファスナー。
【請求項１１】
請求項８のファスナーにおいて、該第１及び第２の対向隔壁パネルそれぞれの該内部面上の該第１及び第３の開閉機構の各々の該第１及び第２の相補型系合部材が互いに噛み合わされたときに該袋型容器が封止されるように構成されたファスナー。
【請求項１２】
請求項８のファスナーにおいて、該第１及び第２の対向隔壁パネルそれぞれの該外部面上の該第２及び第４の開閉機構の各々の該第１及び第２の相補型系合部材が互いに噛み合わされたときに該袋型容器が封止されるように構成されたファスナー。
【請求項１３】
再封止可能なリバーシブル袋型容器であって、
第１及び第２の対向隔壁パネルを備え、該第１及び第２の対向隔壁パネルの各々が内部面及び外部面を有し、該第１及び第２の対向隔壁パネルの少なくとも一部分が、相互に接合されるか又はその周縁部に沿って一体となっているかの少なくとも一方であり
該第１及び第２の対向隔壁パネルの該周縁部の残りの部分に沿って配置された少なくとも１つのリバーシブルファスナーを備え、該少なくとも１つのリバーシブルファスナーが、
該第１及び第２の対向隔壁パネルの該周縁部の残りの部分付近に、該第１及び第２の対向隔壁パネルそれぞれの該内部面に配置された第１及び第２の相補型系合部材を含む第１の開閉機構、及び
該第１及び第２の対向隔壁パネルの該周縁部の残りの部分付近に、該第１及び第２の対向隔壁パネルそれぞれの該外部面に配置された第１及び第２の相補型系合部材を含む第２の開閉機構
からなる袋型容器。
【請求項１４】
請求項１３の袋型容器において、該第１及び第２の隔壁パネルが、熱封止によって少なくとも１つの周縁の少なくとも一部分に沿って互いに接合された袋型容器。
【請求項１５】
請求項１３の袋型容器において、該第１及び第２の隔壁パネルが、材料の連続シートを中心線に沿って折り畳むことによって少なくとも１つの周縁の少なくとも一部分に沿って  一体となっている袋型容器。
【請求項１６】
請求項１３の袋型容器において、該第１及び第２の相補型系合部材が互いに略平行である袋型容器。
【請求項１７】
請求項１３の袋型容器において、該第１及び第２の対向隔壁パネルの各々の該内部面上の該第１の開閉機構の該第１及び第２の相補型系合部材が噛み合わされたときに該容器が封止されるように構成された袋型容器。
【請求項１８】
請求項１３の袋型容器において、該第１及び第２の対向隔壁パネルの各々の該外部面上の該第２の開閉機構の該第１及び第２の相補型系合部材が噛み合わされたときに該容器が封止されるように構成された袋型容器。
【請求項１９】
請求項１３の袋型容器において、第２の開閉機構の該第１及び第２の相補型系合部材が少なくとも第２の再封止可能な袋型容器の開閉機構の第１及び第２の相補型系合部材の１つと噛み合うことによりその２つの容器の重ね合せを促進するように構成された袋型容器。
【請求項２０】
請求項１３の袋型容器であって、さらに、該第１及び第２の対向隔壁パネルの側部周縁の少なくとも一部分に沿って配置された少なくとも第３及び第４の開閉機構を備え、該第３及び第４の開閉機構の各々が第１及び第２の相補型系合部材からなり、
該第３の開閉機構が該第１及び第２の対向隔壁パネルそれぞれの該内部面に配置され、
該第４の開閉機構が該第１及び第２の対向隔壁パネルそれぞれの該外部面に配置された
袋型容器。
【請求項２１】
請求項２０の袋型容器において、該第３及び第４の開閉機構の少なくとも一方の該第１及び第２の相補型系合部材の各々が、該第１及び第２の対向隔壁パネルの該周縁に沿って互いに略平行である袋型容器。
【請求項２２】
請求項２０の袋型容器において、該第１及び第２の対向隔壁パネルそれぞれの該内部面上の該第１及び第３の開閉機構の各々の該第１及び第２の相補型系合部材が互いに噛み合わされたときに該袋型容器が封止されるように構成された袋型容器。
【請求項２３】
請求項２０の袋型容器において、該第１及び第２の対向隔壁パネルそれぞれの該外部面上の該第２及び第４の開閉機構の各々の該第１及び第２の相補型系合部材が互いに噛み合わされたときに該袋型容器が封止されるように構成された袋型容器。
【請求項２４】
請求項１３の袋型容器において、該第１及び第２の隔壁パネルが静電気防止材料からなる袋型容器。
【請求項２５】
第１及び第２の対向隔壁パネルを有する再封止可能な袋型容器のためのリバーシブルファスナーを形成する方法において、該第１及び第２の対向隔壁パネルが内部面及び外部面を有し、該方法が、
該第１及び第２の対向隔壁パネルの上部周縁付近に、該第１及び第２の対向隔壁パネルそれぞれの該内部面に配置された第１及び第２の相補型系合部材を含む第１の開閉機構を形成するステップ、及び
該第１及び第２の対向隔壁パネルの上部周縁付近に、該第１及び第２の対向隔壁パネルそれぞれの該外部面に配置された第１及び第２の相補型系合部材を含む第２の開閉機構を形成するステップ
からなる方法。
【請求項２６】
第１及び第２の対向隔壁パネルを含む再封止可能なリバーシブル袋型容器を形成する方法であって、
該第１及び第２の隔壁パネルの周縁部に沿って該第１及び第２の対向隔壁パネルの少なくとも一部分を接合するステップ、及び
該第１及び第２の対向隔壁パネルの該周縁部の残りの部分に沿った少なくとも第１及び第２の開閉機構からなる少なくとも１つのリバーシブルファスナーを形成するステップであって、該少なくとも１つのリバーシブルファスナーが、該第１及び第２の対向隔壁パネルの該周縁部の残りの部分付近に該第１及び第２の対向隔壁パネルそれぞれの内部面に配置された第１及び第２の相補型系合部材を含む第１の開閉機構、及び該第１及び第２の対向隔壁パネルの該周縁部の残りの部分付近に該第１及び第２の対向隔壁パネルそれぞれの外部面に配置された第１及び第２の相補型系合部材を含む第２の開閉機構を備えるように形成するステップ
からなる方法。
【発明の詳細な説明】
【技術分野】
【０００１】
本発明は概略として袋型容器に関し、より具体的には再封止可能な袋型容器のための開閉機構に関する。
【背景技術】
【０００２】
再封止可能な袋型容器（例えば、Ｚｉｐｌｏｃ（登録商標）バッグ、Ｓ．Ｃ．Ｊｏｈｎｓｏｎ＆Ｓｏｎ，Ｉｎｃ．の登録商標）は、そこに保存される内容物を保護するために、積層されたプラスチックフィルム材料、種々の層の所望のバリアの積層及び他のプロパティで形成されることが多い。通常、袋型容器には容器の上部縁に沿った口部又は開口部が設けられている。口部又は開口部は、閉位置での上部縁に沿って互いに結合され、開状態で結合を解かれるように構成された容器の対向する隔壁パネルによって画定されることが多い。
【０００３】
そのような再封止機能を提供するために、所与の袋型容器の対向隔壁パネルは通常、相補型系合部材を含むファスナーが設けられる。容器のファスナーは一般に、ユーザが容器の両隔壁パネルを上部縁に沿って両手の親指と人差し指で掴み、両隔壁パネルを引き離すだけで容器を開けられるように設計されている。これがファスナーの系合部材の分離をもたらし、それによって開いた口部を通して容器の内容物にアクセスできる。そして、袋型容器は系合部材の相補対をともに締め付けるだけで再封止される。他の袋型容器としては容器を封止するためにジッパーを引くタイプの構成を採用するものがある。
【０００４】
しばしば、再封止可能な袋型容器のユーザは容器を裏返す等して容器を再使用することがある。しかし、一度容器が裏返されると、ファスナーを形成する相補型系合部材は互いに容器の外側で他方を向いているので、それを再封止できなくなる。
【０００５】
従って、袋型容器のための従来のファスナーによって引き起こされる上記の問題の１以上に苛まされない再封止可能な袋型容器用のファスナーへのニーズが存在する。
【発明の概要】
【課題を解決するための手段】
【０００６】
本発明は、その例示的実施例において、従来のファスナーに関連する特有の制約を克服する再封止可能な袋型容器用のレシーバブルファスナーを提供することによって上記のニーズを満たすものである。例示のリバーシブルファスナーは、通常態様での使用時及び裏返し時の両方で袋型容器が再封止されることが可能となるよう構成される。好適なことに、発明の他の例示的側面によると、再封止可能な袋型容器は容器の少なくとも２つの側の周縁部（例えば、上部縁及び１以上の側部縁）に沿って複数のリバーシブルファスナーを含み、それにより、サイズが大きく嵩張る物品の容器への挿入を容易にする。
【０００７】
発明の一側面によると、リバーシブルファスナーは第１及び第２の対向する隔壁パネルを有する再封止可能な袋型容器が提供され、第１及び第２の対向隔壁パネルの各々は内部面及び外部面を有する。ファスナーは第１及び第２の開閉機構を含む。第１の開閉機構は、第１及び第２の対向隔壁パネルの上縁部付近で、第１及び第２の対向隔壁パネルの各々の内部面に配置された第１及び第２の相補型系合部材を含む。第２の開閉機構は、第１及び第２の対向隔壁パネルの上縁部付近で、第１及び第２の対向隔壁パネルの各々の外部面に配置された第１及び第２の相補型系合部材を含む。再封止可能な袋型容器で使用されるリバーシブルファスナーを形成するための方法も提供される。
【０００８】
発明の他の側面によると、再封止可能な袋型容器は第１及び第２の対向する隔壁パネルを含み、第１及び第２の対向隔壁パネルの各々は内部面及び外部面を有する。第１及び第２の対向隔壁パネルの少なくとも一部分がその周縁部に沿って互いに接合される。容器はさらに、第１及び第２の対向隔壁パネルの周縁部の残りの部分に沿って配置された少なくとも第１及び第２の開閉機構を含む少なくとも１つのリバーシブルファスナーを含む。第１及び第２の開閉機構の各々は第１及び第２の相補型系合部材を含む。第１の開閉機構は第１及び第２の対向隔壁パネルの各々の内部面に配置され、第２の開閉機構は第１及び第２の対向隔壁パネルの各々の外部面に配置される。再封止可能な袋型容器を形成するための方法も提供される。
【０００９】
本発明のこれら及び他の構成、有利な効果及び課題は、その例示的実施例についての以降の詳細な説明から明らかになり、それは添付の図面との関連で読まれるべきである。
【図面の簡単な説明】
【００１０】
【図１】図１は本発明の実施例によって形成されるリバーシブルファスナーを含む例示の再封止可能な袋型容器を示す上面図である。
【図２】図２は発明の実施例による図１に示す例示の袋型容器の線２−２´での断面図である。
【図３】図３は本発明の実施例によって形成された再封止可能な袋型容器で使用される例示のリバーシブルファスナーの断面図である。
【図４Ａ】図４Ａは本発明の他の側面による、リバーシブルファスナーを含む複数の袋型容器の例示の重ね合せ構成を示す断面鳥瞰図である。
【図４Ｂ】図４Ｂは発明の一側面による、リバーシブルファスナーを含む複数の袋型容器を重ね合わせるための代替の構成例を示す断面鳥瞰図である。
【図５】図５は本発明の実施例によって形成された例示の袋型容器を示す側面図である。
【図６】図６は本発明の他の実施例によって形成された例示の袋型容器を示す側面図である。
【図７】図７は本発明の実施例によって形成される例示の袋型容器を示す側面図である。
【発明を実施するための形態】
【００１１】
本発明が、リバーシブルでかつ再封止可能な袋の例示的実施例においてここに記載される。しかし、本発明は図示する特定の袋構成に限定されないことが理解されるべきである。むしろ本発明は、従来の再封止可能な袋に特有の制約を好適に克服するための技術を提供する。具体的には、袋型容器のためのリバーシブルな開閉機構を形成するための技術が提供される。発明の例示的実施例に従って形成されるリバーシブルな開閉機構は、対向するパネル部材によって画定される口部を含む種々の容器において使用することができる。例えば、本発明のリバーシブルな開閉機構は従来のＺｉｐｌｏｃ（登録商標）プラスチックバッグ等の構造に容易に取り入れることができる。
【００１２】
図１及び２は、本発明の実施例によって形成されたリバーシブルファスナーを含む例示の袋型容器１００の図である。図１は袋型容器１００の鳥瞰図であり、図２は図１に示す線２−２´に沿って切られた袋型容器の少なくとも一部分の断面図である。袋型容器１００は対向隔壁パネル１０２及び１０４を含み、これらは好適に互いに向き合い、側部縁１０６と１０８、底部縁１１０と上部縁１１２の間に延在する。図では略長方形の形状として示したが、発明は何らかの特定の大きさ及び／又は形状の袋型容器１００に限定されない。
【００１３】
隔壁パネル１０２及び１０４は好ましくは底部縁１１０並びに側部縁１０６及び１０８の１以上の少なくとも一部に沿って互いに結合され、又は一体となっている。例えば、隔壁パネル１０２及び１０４は側部縁１０６及び１０８に沿って熱封止又は代替の接合処理によって接合してもよいし、隔壁パネルは中心線で折り畳むことによって底部縁１１０に沿って一体となっていてもよい。あるいは、隔壁パネル１０２及び１０４は少なくとも１つの側部縁１０６又は１０８に沿って一体となっていてもよいし、例えば、底部縁１１０に沿って熱封止又は代替の接合処理によって接合してもよく、容器の内部スペースにアクセスするために袋型容器１００の上部縁１１２が開口又は口部１１３を設ける従来の態様において、接合されると好適にも１以上の物品を保存するために構成された内部スペースを画定する。
【００１４】
袋型容器１００のアクセス開口１１３は、少なくとも第１及び第２の分離及び再封止可能な開閉機構１１４及び１２０からなるリバーシブルファスナーによって閉じられ又は開かれるように構成される。リバーシブルファスナーは好ましくは実質的に容器の上部縁１１２の長さ全体に沿って移動するが、ファスナーの第１の開閉機構１１４は容器の上部縁１１２の少なくとも一部に沿って設けられてもよい。第１の開閉機構１１４は好ましくは第１及び第２の相補型系合部材１１６及び１１８を含み、それらは互いに結合され、又は系合される。第１の相補型系合部材１１６は隔壁パネル１０４の内部面で上部縁１１２付近に配置される。同様に、第２の相補型系合部材１１８は隔壁パネル１０２の内部面で上部縁１１２付近に配置される。第１及び第２の相補型系合部材１１６、１１８は、例えば、押し出し成形等によって、それらのそれぞれの隔壁パネル１０４、１０２に全体的に形成され得る。あるいは、第１及び第２の相補型系合部材１１６、１１８はそれらのそれぞれの隔壁パネル１０４、１０２に、例えば、溶着、接着又は他の何らかの取付け手段によって固定されてもよい。しかし、発明は第１及び第２の相補型系合部材１１６、１１８を隔壁パネル１０４、１０２に形成する方法に限定されないことが理解されるべきである。
【００１５】
第１及び第２の相補型系合部材１１６及び１１８は好ましくは、袋型容器１００を封止するために、隔壁パネル１０２及び１０４の外部から第１の開閉機構１１４に向けて加えられる閉じ圧力によって、整列を互いに促進し、相互の噛合いを系合するのに特に適する。袋型容器１００は、第１の開閉機構１１４の第１及び第２の相補型系合部材１１６及び１１８の分離操作によって比較的容易に上部縁１１２から開けられる。
【００１６】
リバーシブルファスナーの第２の開閉機構１２０は、第１の開閉機構１１４と同様に、好ましくは第１及び第２の相補型系合部材１２２及び１２４を含む。第１の相補型系合部材１２２は隔壁パネル１０４の外部面上に配置される。同様に、第２の相補型系合部材１２４は隔壁パネル１０２の外部面上に配置される。第１及び第２の相補型系合部材１２２、１２４は、例えば、押し出し成形等によってそれらのそれぞれの隔壁パネル１０４、１０２に全体的に形成され得る。あるいは、第１及び第２の相補型系合部材１２２、１２４はそれらのそれぞれの隔壁パネル１０４、１０２に、例えば、溶着、接着又は他の何らかの取付け手段によって固定されてもよい。しかし、発明は第１及び第２の相補型系合部材１２２、１２４を隔壁パネル１０４、１０２に形成する方法に限定されないことが理解されるべきである。さらに、第１及び第２の開閉機構１１４及び１２０はそれぞれ袋型容器１００に隔壁パネル１０２、１０４の上部縁１１２から等距離に取り付けられる必要はない。むしろ、開閉機構各々の第１及び第２の相補型系合部材が実質的に他方に対応して配列される限りは、第１の開閉機構１１４が第２の開閉機構１２０よりも袋型容器１００の上部縁１１２の近くになるように、又はその逆になるように、開閉機構１１４及び１２０は隔壁パネル１０２、１０４上に段違いに配置されてもよい。
【００１７】
袋型容器１００が裏返され、それにより隔壁パネル１０２及び１０４の内部面が互いに他方を向いて外部にあり、隔壁パネルの外部面が互いに向き合うように内部にあるときに、容器の上部縁１１２に設けられたアクセス開口又は口部１１３が第２の開閉機構１２０によって封止されるように構成される。これに関して、第１及び第２の相補型系合部材１２２及び１２４は特に、隔壁パネル１０２及び１０４の外部から第２の開閉機構１２０に向けて加えられる閉じ圧力によって、整列を互いに促進し、相互の噛合いを系合するのに特に適する。袋型容器１００は、第１の開閉機構１２０の第１及び第２の相補型系合部材１２２及び１２４の分離操作によって比較的容易に上部縁１１２から開けられる。
【００１８】
袋型容器１００は好ましくは、この技術で周知なように適切なプラスチックフィルム又はシート材料から作製されるが、発明は採用される材料のタイプに限定されない。例えば、袋型容器１００の隔壁パネル１０２及び１０４は、そうでなければ（例えば、静電放電（ＥＳＤ）時に）容器内に発生するであろう静電気の帯電をなくすように適合された材料からなっていてもよい。この態様において、袋型容器１００は、例えば、電子回路基板、集積回路等の静電気の影響を受け易い物品及び材料を収容するのに適合することができる。静電気帯電をなくすのに適した材料は、限定するわけではないが、当業者には周知の導電性のフィルム、プラスチック及び積層、電気的に導電性のある粒子及び／又は繊維（例えば、金属粒子）が混ぜられた材料等を含む。例えば、Ｈａｖｅｎｓ氏の米国特許第５１８０６１５号は、ここに参照として取り込まれるものであるが、静電気防止袋型容器を形成するために使用され得る種々の材料を記載している。袋型容器１００のＥＳＤ保護材料は容器が裏返されたときにも、電気的に影響を受け易い内容物への保護を与える。
【００１９】
図３は本発明の他の実施例によって形成される例示のリバーシブルファスナー３００を示す断面図である。ファスナー３００は図示するように、第１及び第２の隔壁パネル３０２及び３０４を含む再封止可能な袋型容器の上部縁３１８の少なくとも一部分に沿って設けられる。ファスナー３００は少なくとも第１及び第２の開閉機構を含む。第１の開閉機構は好ましくは第１及び第２の相補型系合部材３１０及び３１２を含み、それらは互いに結合され、又は系合される。第１の相補型系合部材３１０は第１の隔壁パネル３０２の内部面３１６で上部縁３１８付近に配置される。同様に、第２の相補型系合部材は第２の隔壁パネル３０４の内部面３１６上で上部縁３１８付近に配置される。第１及び第２の相補型系合部材３１０、３１２は、例えば、押し出し成形等によって、それらのそれぞれの隔壁パネル３０２、３０４に全体的に形成され得る。あるいは、第１及び第２の相補型系合部材３１０、３１２はそれらのそれぞれの隔壁パネル３０２、３０４に何らかの周知の取付け方法（例えば、熱溶着、接着等）を用いて固定され得る。
【００２０】
同様に、第２の開閉機構は好ましくは第１及び第２の相補型系合部材３０６及び３０８を含み、それらは互いに結合され、又は系合される。第１の相補型系合部材３０６は第１の隔壁パネル３０２の外部面３１４上で上部縁３１８付近に配置される。同様に、第２の相補型系合部材は第２の隔壁パネル３０８の外部面３１４上で上部縁３１８付近に配置される。第１の開閉機構と同様に、第１及び第２の相補型系合部材３０６、３０８は、例えば、押し出し成形等によって、それらのそれぞれの隔壁パネル３０２、３０４に全体的に形成され、あるいは、何らかの周知の取付け方法（例えば、熱溶着、接着等）を用いてそれらのそれぞれの隔壁パネルに固定され得る。
【００２１】
ファスナー３００は図では閉じた（例えば、封止又は系合された）構成として示されている。第１及び第２の開閉機構にそれぞれ対応する第１及び第２の相補型系合部材３０６、３０８及び３１０、３１２の各対は、袋型容器を封止するために対向隔壁パネル３０２、３０４上の縁取り構造が互いに結合されるように構成された延在縁取り構造３２０によって例示される。発明は相補型系合部材を形成する延在構造３２０の数、大きさ及び／又は形状に限定されないことが理解されるべきである。さらに、第１及び第２の開閉機構は互いに整列されている必要はなく、前述したように、隔壁パネル３０２、３０４上に互いに対して段違いに配置されてもよい。
【００２２】
本発明の例示的実施例のリバーシブルファスナー構成の、相補型系合部材が袋型容器の各隔壁パネルの外部面に配置されることによる１つの有利な効果は、複数の袋型容器が便利で整理された態様で互いに重ね合せられることである。例えば、図４Ａは、１つの袋型容器４００の第１の相補型系合部材４０２が第２の袋型容器４０１の第２の系合部材４０４に噛み合わされる（例えば、結合又は系合される）ように重ね合せられた複数の袋型容器を示す断面鳥瞰図である。各隔壁パネルの内部面に配置された相補型系合部材を有する袋型容器は、裏返されたときでも他の容器に重ね合わせることができる。
【００２３】
第１の袋型容器の第１の相補型系合部材は第２の袋型容器の第２の相補型系合部材と噛み合うために解放され、第２の袋型容器の第１の相補型系合部材は第３の袋型容器の第２の相補型系合部材と噛み合うために解放され、所望数の袋型容器が重ね合せられるまでそのようになる。
【００２４】
図４Ｂは、図４Ａに示す構成と対比される、発明の一側面による複数の袋型容器を重ね合わせるための代替の構成を示す断面側面図である。この構成では、全ての容器を同じ向きに重ね合わせるのではなく、隣り合う袋が逆向きに重ね合せられる。例えば、第１の袋型容器４００は第２の袋型容器４０６と、容器４００が容器４０６の向き（例えば、下向き）と反対の向き（例えば、上向き）に延在するように噛み合う。同様に、第２の袋型容器４０６は第３の袋型容器４０８と、容器４０８が容器４０６の向きと反対の向き（例えば、上向き）に延在するように噛み合う。第３の袋型容器４０８は第４の袋型容器４０１と、容器４０１が容器４０８の向き（例えば、下向き）と反対の向き（例えば、上向き）に延在するように噛み合う。前述したように、例えば、第１のタイプの相補型系合部材（例えば、４０２）を他の容器の第２のタイプの相補型系合部材（例えば、４０４）に噛み合わせることによって２つの袋型容器が互いに系合されるが、他の取付け手段が同様に検討される。
【００２５】
隔壁パネルの内部面に配置された開閉機構が隔壁パネルの外部面に配置された開閉機構と段違いになるようにリバーシブル式の袋が製造される場合、望ましい重ね合せ構成は、互い違いの態様で容器を重ね合わせるように交互の袋型容器を裏返しにする工程からなる。
【００２６】
図５は発明の他の実施例によって形成された例示の袋型容器５００を示す側面図である。袋型容器５００は好ましくは容器の第２の縁の少なくとも一部分の周縁に沿って配置された少なくとも１つの追加の開閉機構の対を含む。従って、袋型容器５００のアクセス開口又は口部は容器の隣り合う縁（例えば、側部縁５１２及び上部縁５１６）に沿って設けられる。袋型容器５００（明確化のためにその１つの隔壁パネル５１８のみが示される）の隔壁パネルは、底部縁５１４及び側部縁５１０の少なくとも一部分に沿って互いに接合され、又は一体となっている。有利なことに、より大きな開口部は嵩張る扱い難い物品を袋型容器５００に挿入するのを容易にする。
【００２７】
具体的には、袋型容器５００は、容器を形成する各一対の隔壁パネルの外部面に容器の上部縁５１６の少なくとも一部分に沿って配置された少なくとも第１の開閉機構５０２を備えるリバーシブルファスナーを含む。リバーシブルファスナーはさらに、隔壁パネル各々の外部面に袋型容器５００の第１の側部縁５１２の少なくとも一部分に沿って配置された第２の開閉機構５０４、隔壁パネル各々の内部面に上部縁５１６の少なくとも一部分に沿って配置された第３の開閉機構５０６、及び隔壁パネル各々の内部面に容器の第１の側部縁５１２の少なくとも一部分に沿って配置された第４の開閉機構５０８を含む。
【００２８】
開閉機構５０２、５０４、５０６、５０８の各々は好ましくは、袋型容器５００を封止するために整列を促進するとともに開閉噛合いを互いに系合するように構成された少なくとも第１及び第２の相補型系合部材を、例えば、図１に示す袋型容器１００において上述したのと類似の態様で備える。通常の態様で使用されるとき、袋型容器５００は、上部縁５１６及び側部縁５１２に沿って隔壁パネルの内部面に配置されたそれぞれ第３及び第４の開閉機構５０６及び５０８を噛み合わせることによって封止することができる。第１及び第２の開閉機構５０２及び５０４は図４Ａ及び４Ｂについて上述したのと同様の態様で複数の袋型容器を互いに重ね合わせるために使用される。袋型容器５００が裏返されると、第１及び第２の開閉機構５０２及び５０４は容器の内部へのアクセスを支配するのに使用され、第３及び第４の開閉機構５０６及び５０８は複数の容器を互いに重ね合わせるために使用され得る。
【００２９】
リバーシブルファスナーの他の構成が本発明によって検討されることが理解されるべきである。例えば、発明の他の実施例によると、開閉機構５０４及び５０８が側部縁５１２ではなく側部縁５１０の少なくとも一部分に沿って形成され得る。あるいは、袋型容器５００の内部にアクセスするためのさらに大きな開口部を与えるために開閉機構が側部縁５１０及び５１２双方に沿って配置されてもよい。
【００３０】
図６は発明の他の実施例によって形成された例示の袋型容器６００を示す側面図である。図から明らかなように、本実施例では袋型容器６００は三角形状であるが、発明は何らかの特定の形状及び／又は大きさに限定されない。袋型容器６００は好ましくは、第１の縁６１０及び第２の縁６１２の少なくとも一部分に沿って互いに接合され、又は一体となった２枚の隔壁パネル（明確化のために１つの隔壁パネル６０６のみが図示される）によって形成される。例えば、第１及び第２の縁６１０及び６１２は、例えば、熱封止（又は代替の接合処理）等によって接合され、又はそれらは、例えば、連続シート材料を戦略的に折り畳むことによって一体となっていてもよい。
【００３１】
袋型容器６００の上部縁６０８は少なくとも第１及び第２の開閉機構６０２及び６０４からなるリバーシブルファスナーが設けられている。第１の開閉機構６０２は上部縁６０８付近で隔壁パネル各々の外部面に配置され、第２の開閉機構６０４は上部縁付近で隔壁パネル各々の内部面に配置される。上部縁６０８は、第１及び第２の開閉機構６０２、６０４の一方（容器６００が通常の態様で使用されるか裏返しにされるかによる）によって閉じられるように構成されたアクセス用開口部又は口部を与える。
【００３２】
図７は本発明の実施例によって形成される例示の袋型容器７００を示す側面図である。図面から明らかなように、袋型容器７００は、リバーシブルファスナーが第１の縁６１０の少なくとも一部分に沿って配置された開閉機構７０２、７０４の追加の対からなる点を除いて、図６に示す容器６００と基本的に同じである。具体的には、上部縁６０８に沿って配置された第１及び第２の開閉機構６０２及び６０４に加えて、袋型容器７００はさらに、第１の縁６１０の少なくとも一部分に沿って隔壁パネル各々の外部面に配置された第３の開閉機構７０２、及び第１の縁の少なくとも一部分に沿って隔壁パネル各々の内部面に配置された第４の開閉機構７０４を含む。
【００３３】
開閉機構６０２、６０４、７０２及び７０４各々は好ましくは、例えば、図１に示す袋型容器１００について上述したのと同様の態様で、袋型容器７００を封止するために整列を互いに促進し、互いに噛合いを系合するように構成された少なくとも第１及び第２の相補型系合部材からなる。通常の態様で使用するとき、袋型容器７００は好ましくは上部縁６０８及び第１の縁６１０に沿って配置された第２及び第４の開閉機構６０４及び７０４を噛み合わせることによって封止される。同様に、第２及び第４の開閉機構６０４及び７０４の第１及び第２の相補型系合部材の分離操作によって袋型容器７００は上部縁６０８及び第１の縁６１０から比較的簡単に開放される。第１及び第３の開閉機構６０２及び７０２は、図４Ａ及び４Ｂについて上述したのと同様の態様で、複数の袋型容器を相互に重ね合わせるように使用される。袋型容器７００は裏返されると、第１及び第３の開閉機構６０２及び７０２が容器の内部へのアクセスを支配するために使用され、第２及び第４の開閉機構６０４及び７０４が複数の容器を相互に重ね合わせるために使用される。
【００３４】
本発明の例示的実施例が添付図面を参照してここに記載されたが、発明はこれらの厳密な実施例に限定されないこと、及び当業者によって種々の他の変形例及び修正例が発明の範囲又は精神から離れることなくなされ得ることが理解されるべきである。
【図１】
2010516424.tif 000003
【図２】
2010516424.tif 000004
【図３】
2010516424.tif 000005
【図４Ａ】
2010516424.tif 000006
【図４Ｂ】
2010516424.tif 000007
【図５】
2010516424.tif 000008
【図６】
2010516424.tif 000009
【図７】
2010516424.tif 000010
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
第１及び第２の対向隔壁パネルを有する再封止可能な袋型容器のためのリバーシブルファスナーであって、該第１及び第２の対向隔壁パネルの各々が内部面及び外部面を有し、該ファスナーが、
該第１及び第２の対向隔壁パネルの上部周縁付近に、該第１及び第２の対向隔壁パネルそれぞれの該内部面に配置された第１及び第２の相補型系合部材を含む第１の開閉機構、及び
該第１及び第２の対向隔壁パネルの上部周縁付近に、該第１及び第２の対向隔壁パネルそれぞれの該外部面に配置された第１及び第２の相補型系合部材を含む第２の開閉機構
からなるファスナー。
【請求項２】
請求項１のファスナーにおいて、該第１及び第２の対向隔壁パネルそれぞれの該内部面上の該第１の開閉機構の該第１及び第２の相補型系合部材が互いに噛み合わされたときに該袋型容器が封止されるように構成されたファスナー。
【請求項３】
請求項１のファスナーにおいて、該第１及び第２の対向隔壁パネルそれぞれの該外部面上の該第２の開閉機構の該第１及び第２の相補型系合部材が互いに噛み合わされたときに該袋型容器が封止されるように構成されたファスナー。
【請求項４】
請求項１のファスナーにおいて、第２の開閉機構の該第１及び第２の相補型系合部材が少なくとも第２の再封止可能な袋型容器の開閉機構の第１及び第２の相補型系合部材の１つと噛み合うことによりその２つの容器の重ね合せを促進するように構成されたファスナー。
【請求項５】
請求項１のファスナーであって、さらに、該第１及び第２の対向隔壁パネルの側部周縁の少なくとも一部分に沿って配置された少なくとも第３及び第４の開閉機構を備え、該第３及び第４の開閉機構の各々が第１及び第２の相補型系合部材からなり、
該第３の開閉機構が該第１及び第２の対向隔壁パネルそれぞれの該内部面に配置され、
該第４の開閉機構が該第１及び第２の対向隔壁パネルそれぞれの該外部面に配置された
ファスナー。
【請求項６】
請求項５のファスナーにおいて、該第３及び第４の開閉機構の少なくとも一方の該第１及び第２の相補型系合部材の各々が、該第１及び第２の対向隔壁パネルの該側部周縁に沿って互いに対して略平行であるファスナー。
【請求項７】
再封止可能なリバーシブル袋型容器であって、
第１及び第２の対向隔壁パネルを備え、該第１及び第２の対向隔壁パネルの各々が内部面及び外部面を有し、該第１及び第２の対向隔壁パネルの少なくとも一部分が、相互に接合されるか又はその周縁部に沿って一体となっているかの少なくとも一方であり
該第１及び第２の対向隔壁パネルの該周縁部の残りの部分に沿って配置された少なくとも１つのリバーシブルファスナーを備え、該少なくとも１つのリバーシブルファスナーが、
該第１及び第２の対向隔壁パネルの該周縁部の残りの部分付近に、該第１及び第２の対向隔壁パネルそれぞれの該内部面に配置された第１及び第２の相補型系合部材を含む第１の開閉機構、及び
該第１及び第２の対向隔壁パネルの該周縁部の残りの部分付近に、該第１及び第２の対向隔壁パネルそれぞれの該外部面に配置された第１及び第２の相補型系合部材を含む第２の開閉機構
からなる袋型容器。
【請求項８】
請求項７の袋型容器において、該第１及び第２の隔壁パネルが静電気防止材料からなる袋型容器。
【請求項９】
第１及び第２の対向隔壁パネルを有する再封止可能な袋型容器のためのリバーシブルファスナーを形成する方法において、該第１及び第２の対向隔壁パネルが内部面及び外部面を有し、該方法が、
該第１及び第２の対向隔壁パネルの上部周縁付近に、該第１及び第２の対向隔壁パネルそれぞれの該内部面に配置された第１及び第２の相補型系合部材を含む第１の開閉機構を形成するステップ、及び
該第１及び第２の対向隔壁パネルの上部周縁付近に、該第１及び第２の対向隔壁パネルそれぞれの該外部面に配置された第１及び第２の相補型系合部材を含む第２の開閉機構を形成するステップ
からなる方法。
【請求項１０】
第１及び第２の対向隔壁パネルを含む再封止可能なリバーシブル袋型容器を形成する方法であって、
該第１及び第２の隔壁パネルの周縁部に沿って該第１及び第２の対向隔壁パネルの少なくとも一部分を接合するステップ、及び
該第１及び第２の対向隔壁パネルの該周縁部の残りの部分に沿った少なくとも第１及び第２の開閉機構からなる少なくとも１つのリバーシブルファスナーを形成するステップであって、該少なくとも１つのリバーシブルファスナーが、該第１及び第２の対向隔壁パネルの該周縁部の残りの部分付近に該第１及び第２の対向隔壁パネルそれぞれの内部面に配置された第１及び第２の相補型系合部材を含む第１の開閉機構、及び該第１及び第２の対向隔壁パネルの該周縁部の残りの部分付近に該第１及び第２の対向隔壁パネルそれぞれの外部面に配置された第１及び第２の相補型系合部材を含む第２の開閉機構を備えるように形成するステップ
からなる方法。
【国際調査報告】
2010516424.tif 000011
2010516424.tif 000012